(57)【要約】【課題】傘兼用杖を安価に製造可能とする傘取付け用杖部材セットを提供する。【解決手段】把持したときに滑落しづらいように端部の太くなった短棒状を呈し、長尺方向が水平方向を向いた把持部５を有する手元４、及び中空で端部７ａが開口し、内側に中棒受容凹部８が設けられた直管状を呈し把持部５から下方に延びる中棒取付部７を備え、傘の中棒Ｓの手元側端部に取着され、接合ネジ１６で固定される手元部材２と、硬質合成ゴム製で底面に滑り止めが設けられた滑り止め部１２を備えた石突１０、及び中空で端部１１ａが開口し、内側に中棒受容凹部１３が設けられた直管状を呈し石突１０の上方に延びる中棒取付部１１を備え、傘の中棒Ｓの石突側端部に装着され、接合ネジ１４で固定される石突部材３とを具備する。【選択図】図１
0003136102.tif 000002
【実用新案登録請求の範囲】
【請求項１】
上部に傘の中棒の石突側端部を内挿可能な石突側中棒受部が設けられ、下部に前記中棒の横断面よりも面積が大きい滑り止め部が設けられた石突部材と、
略短棒状を呈する把持部、及び該把持部の長手方向に対し略垂直に突設され、前記中棒の手元側端部を内挿可能な手元側中棒受部が設けられた中棒取付部を備えた手元部材と、
前記石突側中棒受部に前記中棒の石突側端部が内挿された状態で前記石突部材を前記中棒に固定する石突固定手段と、
前記手元側中棒受部に前記中棒の手元側端部が内挿された状態で前記手元部材を前記中棒に固定する手元固定手段と
を具備することを特徴とする傘取付け用杖部材セット。
【考案の詳細な説明】
【技術分野】
【０００１】
本考案は、傘の軸棒に装着して、歩行時に杖として使用したときの利便性を向上させる傘取付け用杖部材セットに関するものである。
【背景技術】
【０００２】
一般に、健康づくりや楽しみのために徒歩で比較的長い距離を歩くウォーキングが行われている。ウォーキングは身体的な負担が小さく、足に軽い障害を持っている人々や、高齢者にも、適度な運動として好まれており、杖を使用してウォーキングを行う人々も増加している。
【０００３】
ところで、こうしたウォーキングなど、屋外で比較的長い距離を歩行する場合には、天候が急変し雨が降り出したときのために備えて傘の携行が一般に行われている。しかし、杖を使用して歩く人々にとっては、杖と傘を両方携帯するのは荷物が増えて負担が増すという問題があった。
【０００４】
これに対し、特許文献１に開示の雨傘とステッキの機能を兼ね備えた杖兼用傘によれば、傘の手元を杖としても利用可能な形状とし、中棒をアルミニウム製の軽量強靭な構造とし、滑り止めゴムの付いた石突を備えることで、晴天時には杖として、降雨時には傘として利用することができるので、傘の携行を不要とすることができる。
【０００５】
【特許文献１】実登第３０３５３２１号
【考案の開示】
【考案が解決しようとする課題】
【０００６】
ところで、杖は使用者の体格にあわせた適切な長さであることが望ましいが、従来の杖兼用傘は、使用者の体格に合わせて様々な大きさのものを製造すると、製造コストの上昇を招く虞があった。また、従来の杖兼用傘においては、個々の使用者の好みに合う色や模様を有する製品を提供するのは、同じく製造コストの上昇を招くために困難であった。
【０００７】
そこで、本考案は、上記の実状に鑑み、使用者の要求に合った傘兼用杖を安価に製造可能とする傘取付け用杖部材セットを提供することを課題とするものである。
【課題を解決するための手段】
【０００８】
本考案に係る傘取付け用杖部材セットは、「上部に傘の中棒の石突側端部を内挿可能な石突側中棒受部が設けられ、下部に前記中棒の横断面よりも面積が大きい滑り止め部が設けられた石突部材と、
略短棒状を呈する把持部、及び該把持部の長手方向に対し略垂直に突設され、前記中棒の手元側端部を内挿可能な手元側中棒受部が設けられた中棒取付部を備えた手元部材と、
前記石突側中棒受部に前記中棒の石突側端部が内挿された状態で前記石突部材を前記中棒に固定する石突固定手段と、
前記手元側中棒受部に前記中棒の手元側端部が内挿された状態で前記手元部材を前記中棒に固定する手元固定手段と
を具備する」ものである。
【０００９】
ここで、「手元側端部」とは、傘の手元を除去した中棒の手元側の端部を示し、「石突側端部」とは、傘を畳んで携帯するときに地面に当接する側の中棒の端部を示す。
【００１０】
本考案の傘取付け用杖部材セットは、市販の傘など、一般的な傘の手元部を除去し、傘の中棒の石突側に本考案の石突部材を取着し、中棒の手元側に本考案の手元部材を取着することで、傘兼用杖を構成するものである。石突部材及び手元部材は、夫々、石突固定手段及び手元固定手段によって中棒にしっかりと固定される。なお、傘の石突は、除去してもよいし、除去しなくてもよい。
【００１１】
本考案の手元部材は、把持部が短棒状を呈しており、使用者は把持部を手でしっかりと握ることができるようになっている。また、中棒取付部が把持部の長手方向に対して略垂直に突設されており、中棒の軸方向と把持部の長手方向とが略垂直に交わる。一般的な傘は、手元が湾曲した形状のものが多く、杖の代用として使用した場合に手元を手で握りこむことが難しい。また、中棒に対して体重をかけると、手がすべったり、力の向きが軸方向からずれて中棒が傾いたりしやすいが、本考案によれば、使用者が把持部を握って中棒の軸方向に対して力を加えたときにも握りやすく、中棒の軸方向に向けて力を加えたときに容易に安定させることができる。
【００１２】
また、本考案の石突部材は、中棒の横断面よりも面積の広い滑り止め部を備えており、通常の傘の石突部の先端よりも大きな滑り止め部で接地するため、使用者が体重をかけた場合にも滑ったり倒れたりする虞が低減されている。
【００１３】
本考案によれば、様々な傘を杖として兼用可能にすることができるので、夫々の使用者の好みに合った傘兼用杖を提供することができる。例えば、ばねの弾発力によって付勢されて開く機構を備えた傘を利用してもよいし、軽量な傘を利用してもよい。また、杖としての強度を重視し、中棒の強度が高い傘を用いてもよい。
【００１４】
また、杖として、長さが適切でないと使用しづらいものとなるので、体格に合わせた長さであることが望ましいが、本考案によれば、種々の傘を杖兼用傘とすることができるので、適切な長さの傘を用いることで夫々の使用者の体格に合わせた長さの傘兼用杖を安価にて構成することができる。
【００１５】
さらに、本考案によれば、好みの色や柄の傘を傘兼用杖とすることが可能である。傘の選択においては服装との組み合わせなど視覚的な装飾性が重視されるが、様々な傘を用いることができるため、使用者の希望に合った傘兼用杖を提供することができる。
【００１６】
また、本考案の手元部材及び石突部材を取着する工程は、一般的に入手可能な工具によっても可能であり、特別な工作機械等を必要としない。さらに、本考案の傘取付け用杖部材セットを装着しやすくするために、あらかじめ取り外し可能な手元部及び石突部を備えた傘を合わせて提供すれば、使用者が必要に応じて傘兼用杖へとさらに手軽に改造可能とすることができる。
【考案の効果】
【００１７】
このように、本考案によれば、色・柄などの装飾性や、杖としての使い勝手など、使用者の要求に合った傘兼用杖を製造可能とする傘取付け用杖部材セットを提供することができる。
【考案を実施するための最良の形態】
【００１８】
以下、本考案の実施形態である傘兼用杖について、図１及び図２に基づき説明する。図１（ａ）は傘取付け用杖部材セットの手元部材の構成を示す正面図であり、図１（ｂ）は、傘兼用杖の石突部材の構成を示す正面図であり、図２は傘取付け用杖部材セットの手元部材及び石突部材を傘に取付けた使用状態を示す正面図である。
【００１９】
図１（ａ）及び図１（ｂ）に示すように、傘取付け用杖部材セット１は、手元部材２及び石突部材３の２つの主要な部材から構成されている。
【００２０】
図１（ａ）に示すように、手元部材２は、略水平方向に長尺方向が向いた短棒状を呈する把持部５、及び把持部５から下方へと突出した形状を呈する接合部６からなる手元４と、略鉛直方向に長尺方向が向いており、傘の中棒Ｓが内挿される中棒受容凹部８が設けられた中空の棒状の中棒取付部７とからなっている。手元４は合成樹脂製であり、中棒取付部７は鋼製である。中棒取付部７が接合部分６の内側の凹部９に嵌挿され、手元４と中棒取付部７とが接着されている。中棒取付部７は、内部が中空の直管状を呈しており、下方の端部７ａは開放されている。中棒取付部７の側面には、接合ネジ１６を取り付けるためのネジ孔１７が２箇所設けられている。ネジ孔１７は、上下に異なる位置で互いに逆向きに接合ネジ１６を挿入可能に設けられている。ここで、接合ネジ１６が、本考案の手元固定手段に相当する。
【００２１】
手元４の把持部５は、使用者が手で握ったときに全ての手指でしっかりと握りこむことができるように、接合部６に近づくにつれて次第に細くなる形状を呈している。これにより、把持部５を握った手が滑って手から抜け落ちることを防止できる。また、自然な手首の角度で下向きに押すことができるように、把持部５は長尺方向が略水平方向となっており、中棒取付部７は長尺方向が略鉛直方向となっている。
【００２２】
図１（ｂ）に示すように、石突部材３は、硬質合成ゴム製の石突１０と、鋼製で、上方が開放された中空の直管状で、内側が中棒受容凹部１３となっている中棒取付部１１とからなる。石突１０は、全体が合成樹脂製で、下方に向かって末広がりとなる円台状を呈しており、上部には中棒取付部１１が嵌挿される凹部１５が凹設されている。下部には地面に当接する滑り止め部１２が形成されており、滑り止め部１２の底面は滑り止めの凹凸が設けられている。滑り止め部１２の平面形は略円形であるが、中棒取付部１１よりも面積が広く、接地して押圧されたときに接地する面積がより大きくなるので安定する。
【００２３】
図２に示すように、手元部材２及び石突部材３は、傘Ａの中棒Ｓの手元側端部及び石突側端部に取着されて傘兼用杖２０を構成する。傘Ａは、丸い鉤状の手元部と、先細の石突部とを有するものが一般的であるが、手元部を手元部材２に換え、石突部を石突部材３に換える。手元部材２の中棒受容凹部８に中棒Ｓの手元側端部Ｇが挿入され、接合ネジ１６によって接合され固定される。同様に、石突部材３の中棒受容凹部１３に中棒Ｓの石突側端部Ｃが挿入され、接合ネジ１４によって接合され固定される。ここで、中棒受容凹部８が、本考案の手元側中棒受部に相当し、中棒受容凹部１３が、本考案の石突側中棒受部に相当し、接合ネジ１４が、本考案の石突固定手段に相当する。
【００２４】
本例の傘取付け用杖部材セット１は、傘Ａに元々装着されていた手元部及び石突部を除去して代わりに取着される。傘Ａの手元部及び石突部は、取り外しが不可能であれば切断して取り除かれる。中棒Ｓは細い丸棒であるので、一般的に販売されている鋸等で容易に切断可能である。手元部及び石突部の切断除去後に、手元部材２及び石突部材３を仮に嵌着して使用者の体格と照合し、適切な長さとなるように長さを修正して接合ネジ１４，１６で固定する位置を決定し、中棒Ｓの対応する位置にネジ孔を穿設する。このように、傘Ａを、傘取付け用杖部材セット１が装着可能な形状に加工した後に、手元部材２及び石突部材３を取着し、接合ネジ１４，１６で固定して傘兼用杖２０が完成する。
【００２５】
なお、本例においては、各部の寸法等を特に限定するものではないが、石突部材の先端から手元部材の上端までの長さが、使用者の身長の２分の１よりも若干長い寸法であると、杖として使用するのに好適である。また、手元部材２の中棒取付部７及び石突部材の中棒取付部１１は、傘の中棒よりも太くなっており、本例においては、中棒の直径が約１５ｍｍであるのに対し、いずれも内径約１５ｍｍ、外径約１７ｍｍの太さである。一方、滑り止め部１２は直径約３０ｍｍである。
【００２６】
このように、本例の傘取付け用杖部材セット１によれば、様々な傘を杖として兼用可能にすることができるので、夫々の使用者の好みに合った傘兼用杖２０を提供することができる。すなわち、開閉機構にバネによる付勢を用いた傘や、軽量な部材を用いた傘などを傘兼用杖２０とすることができる。
【００２７】
また、使用者の体格に合わせて適切な長さの傘Ａを用いることで夫々の使用者に合った長さの傘兼用杖２０を安価にて構成することができる。
【００２８】
さらに、本例の傘取付け用杖部材セット１によれば、好みの色や柄の傘を傘兼用杖２０とすることも可能である。傘の選択においては服装との組み合わせなど視覚的な装飾性が重視されるが、様々な傘を用いることができるため、使用者の希望に合った傘兼用杖２０を提供することができる。
【００２９】
また、本例の傘取付け用杖部材セット１によれば、手元部材及び石突部材を取着する工程は、一般的に入手可能な工具によっても可能であり、特別な工作機械等を必要としないので、個人や小規模な事業者にも加工が可能である。
【００３０】
傘兼用杖２０は、晴天時には日傘として利用することもできるので、使用者は、曇天時に限らずウォーキングのときなどに携行して杖として利用し、雨が降れば雨傘として利用し、晴天下で休憩するときには日傘として日照を遮るなど、様々に活用することができる。
【００３１】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００３２】
すなわち、本例の傘取付け用杖部材セット１では、接合ネジ１４，１６によって中棒Ｓに対して手元部材２及び石突部材３を固定するものを示したが、これに限定されるものではなく、例えば、中棒Ｓの上端部及び下端部に手元部材２及び石突部材３を接着材によって隙間を埋めて接着するものであってもよいし、溶接するものであってもよい。また、接合ネジの先端が中棒Ｓに開けられた孔に螺合するものではなく、中棒Ｓに圧接して手元部材２及び石突部材３を固定するものであってもよい。さらに、その他の接合方法であってもよく、接合方法は特に限定されない。
【００３３】
また、中棒受容凹部８，１３の内径が異なる手元部材２及び石突部材３を複数種類用意してもよい。すなわち、中棒受容凹部８，１３の内径が異なる複数種類の手元部材２及び石突部材３があり、選択可能となっていれば、傘Ａの中棒Ｓが中棒受容凹部８，１３の内径と適合する適切な部材を使用することで手元部材２及び石突部材３と中棒Ｓとの間の隙間を小さくし、接合箇所におけるぐらつきを防ぎ、隙間埋めのパテ等の使用を最小限に留めることができる。
【００３４】
また、あらかじめ取り外し可能な手元部及び石突部を備えた傘を製造すれば、本例の傘取付け用杖部材セット１を装着しやすくすることができる。つまり、傘の手元部と石突部を取り外すだけで傘取付け用杖部材セット１が取着可能な形状となっていれば、手元部を本例の手元部材２に交換し、石突部を本例の石突部材３に交換するだけで傘兼用杖２０を完成することが可能となる。なお、傘取付け用杖部材セット１をの取付位置を選択可能とすることによって、傘兼用杖の長さを調節可能にすることができる。
【００３５】
また、本例の傘取付け用杖部材セット１では、市販の傘の石突部を切断し、除去する場合を示したが、石突部を除去しないで石突部に被せるように石突部材３を取着するものとしてもよい。これにより、加工の手間を軽減させることができる。
【図面の簡単な説明】
【００３６】
【図１】傘取付け用杖部材セットの構成を示す正面図である。
【図２】傘取付け用杖部材セットを傘に取付けた使用状態を示す正面図である。
【符号の説明】
【００３７】
Ａ  傘
Ｓ  中棒
１  傘取付け用杖部材セット
２  手元部材
３  石突部材
５  把持部
７  中棒取付部
８  中棒受容凹部（手元側中棒受部）
１０  石突
１１  中棒取付部
１２  滑り止め部
１３  中棒受容凹部（石突側中棒受部）
１４  接合ネジ（手元固定手段）
１６  接合ネジ（石突固定手段）
【図１】
0003136102.tif 000003
【図２】
0003136102.tif 000004